(57)【要約】【課題】デジタルビデオカメラ装置から見て外部装置となる画像記録処理装置において、デジタルビデオカメラ装置を、記録媒体一覧表示として表示する際に、デジタルビデオカメラ装置に含まれる記録メディアそのものが画像記録処理装置により識別可能とするデジタルビデオカメラ装置を提供する。【解決手段】この発明のデジタルビデオカメラ装置によれば、ＵＳＢにより接続されることで、記録媒体に保持されている画像信号を、記録媒体とは別に設けられる外部の記録装置３０１から読み出し可能であって、記録媒体１０５，１０６を識別可能に、記録媒体に、所定の情報を記録することができる。【選択図】      図１
2007082141.tif 000002
【特許請求の範囲】
【請求項１】
レンズを介して取り込まれた動画を画像信号に変換する光電変換素子と、
この光電変換素子から出力された画像信号を記録可能な記録媒体と、
前記光電変換素子から出力された前記画像信号を前記記録媒体が記録可能な信号形式に変換して前記記録媒体に記録させる画像信号処理部と、
前記記録媒体に保持されている前記画像信号を、前記記録媒体とは別に設けられる外部の記録装置に供給可能な拡張接続部と、
前記カメラ装置の前記拡張接続部に対して着脱可能に形成され、前記拡張接続部と接続されることにより、前記画像信号処理部に保持されている前記画像信号を、前記外部の記録装置に出力可能とする拡張接続装置が前記拡張接続部に接続された状態で、前記外部の記録装置に、前記記録媒体を前記外部の記録装置において識別可能に、前記記録媒体に、所定の情報を記録する情報制御部と、
を有することを特徴とするデジタルビデオカメラ装置。
【請求項２】
前記情報制御部は、前記記録媒体が複数である場合に、それぞれの記録媒体を識別可能な所定の情報を、前記それぞれの記録媒体に記録することを特徴とする請求項１記載のデジタルビデオカメラ装置。
【請求項３】
前記情報制御部は、主電源がオンされる毎に、前記記録媒体を識別可能な所定の情報を前記記録媒体に記録することを特徴とする請求項１記載のデジタルビデオカメラ装置。
【請求項４】
前記記録媒体の識別に利用可能な前記所定の情報は、前記情報制御部による読み出しが可能に、前記情報制御部または前記情報制御部に接続された記憶部により保持されていることを特徴とする請求項１ないし３のいずれかに記載のデジタルビデオカメラ装置。
【請求項５】
前記記録媒体の識別に利用可能な前記所定の情報は、前記拡張接続部に対して着脱可能に形成された前記拡張接続装置と接続されることにより前記外部の記録装置から読み出し可能であることを特徴とする請求項１ないし３のいずれかに記載のデジタルビデオカメラ装置。
【請求項６】
レンズを介して取り込まれた動画を画像信号に変換する光電変換素子と、
この光電変換素子から出力された画像信号を記録可能な記録媒体と、
前記光電変換素子から出力された前記画像信号を前記記録媒体が記録可能な信号形式に変換して前記記録媒体に記録させる画像信号処理部と、
ＵＳＢにより接続されることで、前記記録媒体に保持されている前記画像信号を、前記記録媒体とは別に設けられる外部の記録装置に供給可能であって、前記外部の記録装置から前記記録媒体を識別可能に、前記記録媒体に、所定の情報を記録する情報制御部と、
を有することを特徴とするデジタルビデオカメラ装置。
【請求項７】
前記情報制御部は、前記記録媒体が複数である場合に、それぞれの記録媒体を識別可能な所定の情報を、前記それぞれの記録媒体に記録することを特徴とする請求項６記載のデジタルビデオカメラ装置。
【請求項８】
前記情報制御部は、主電源がオンされる毎に、前記記録媒体を識別可能な所定の情報を前記記録媒体に記録することを特徴とする請求項６記載のデジタルビデオカメラ装置。
【請求項９】
前記記録媒体の識別に利用可能な前記所定の情報は、前記情報制御部による読み出しが可能に、前記情報制御部または前記情報制御部に接続された記憶部により保持されていることを特徴とする請求項６ないし８のいずれかに記載のデジタルビデオカメラ装置。
【発明の詳細な説明】
【技術分野】
【０００１】
この発明は、例えば携帯可能な映像録画装置、特に容量の大きな非テープ状の記録媒体を用いるデジタルビデオカメラ装置に関する。
【背景技術】
【０００２】
メモリカード（半導体メモリ）や、記録容量のより大きなハードディスク装置等の、非テープ状の記録媒体に動画を記録するデジタル方式のビデオカメラ装置が、既に広く普及している。
【０００３】
デジタルビデオカメラ装置は、書き換え可能な記憶装置を内部に有し、記憶装置により保持されている画像情報は、外部に用意される画像編集装置から読み出し可能である。
【０００４】
なお、特許文献１には、データバス上に存在する機器毎に、任意にユーザネームを入力／登録可能な管理装置が開示されている。
【特許文献１】特開２０００−３５８０３７号公報
【発明の開示】
【発明が解決しようとする課題】
【０００５】
ところで、外部に用意される画像編集装置の記憶容量の増大、画像編集装置に接続可能な記憶装置の低価格化、同時に接続可能な装置の数の増大に伴って、記憶装置が保持している画像情報や画像ファイルを識別する前段階として、記憶装置を容易に特定できることが望まれている。
【０００６】
なお、これまでは、
１）ドライブ（メディア）が接続されたことを監視するプログラムを常駐させ、特定の装置が接続されたことを検知した場合に、監視プログラムがドライブのアイコンを変更させる、というプロセスにより、本実施形態に類似した一覧表示が可能であるが、監視プログラムのない装置ではアイコンの変更はできないため、ユーザが利用する全ての装置に、監視プログラムを入れる必要がある、
２）特定のドライブのアイコンを予め変更しておく、というプロセスにより、本実施形態に類似した一覧表示が可能であるが、同様にユーザが利用する全ての装置において設定する必要があり、しかも登録されるドライブ番号が変わる等の場合には、その都度、再度設定しなければならない、
３）ユーザが「ＡＵＴＯＲＵＮ．ＩＮＦ」や「アイコン（ｉｃｏｎ）」ファイルを記録メディアに書き込んでアイコンを変更させる、というプロセスにより、本実施形態に類似した一覧表示が可能であるが、フォーマットや消去等により、記録メディア上のファイルが消えてしまった場合、その都度、再度設定しなければならない、
という問題が残り、いずれの方法も、ユーザを煩わせることが少なくないことが知られている。
【０００７】
また、特許文献１に記載された装置によっても上述の１）〜３）の総てを解消することは困難である。
【０００８】
この発明の目的は、上記問題点を解決するために、デジタルビデオカメラ装置から見て外部装置となる画像記録処理装置において、デジタルビデオカメラ装置を、記録媒体一覧表示として表示する際に、デジタルビデオカメラ装置に含まれる記録メディアそのものが画像記録処理装置により識別可能とするデジタルビデオカメラ装置を、提供することである。
【課題を解決するための手段】
【０００９】
この発明は、上記問題点に基づきなされたもので、レンズを介して取り込まれた動画を画像信号に変換する光電変換素子と、この光電変換素子から出力された画像信号を記録可能な記録媒体と、前記光電変換素子から出力された前記画像信号を前記記録媒体が記録可能な信号形式に変換して前記記録媒体に記録させる画像信号処理部と、前記記録媒体に保持されている前記画像信号を、前記記録媒体とは別に設けられる外部の記録装置に供給可能な拡張接続部と、前記カメラ装置の前記拡張接続部に対して着脱可能に形成され、前記拡張接続部と接続されることにより、前記画像信号処理部に保持されている前記画像信号を、前記外部の記録装置に出力可能とする拡張接続装置が前記拡張接続部に接続された状態で、前記外部の記録装置に、前記記録媒体を前記外部の記録装置において識別可能に、前記記録媒体に、所定の情報を記録する情報制御部と、を有することを特徴とするデジタルビデオカメラ装置、を提供するものである。
【発明の効果】
【００１０】
本発明によれば、デジタルビデオカメラ装置から見て外部の画像記録処理装置であるパーソナルコンピュータ（ＰＣ）において、デジタルビデオカメラ装置を記録媒体（リムーバブル記憶メディア）一覧表示として表示する際に、パーソナルコンピュータに表示されるアイコンを、デジタルビデオカメラ装置がＰＣに接続されたメディア個体であることを容易に識別可能なアイコンにより表示することで、容易にメディア個体を区別できる。
【発明を実施するための最良の形態】
【００１１】
以下、図面を参照して、この発明の実施の形態について詳細に説明する。なお、本実施の形態は、例えばメモリカード（半導体メモリ）または記録容量の大きなハードディスク装置を有するデジタルビデオカメラ装置を例に、説明する。
【００１２】
図１は、ＬＡＮ（公衆ネットワーク網として広く利用されているLocal Area Network＝ローカルエリアネットワーク）、もしくはＵＳＢ（Universal Serial Bus＝ユニバーサルシリアルバス）を介して、デジタルビデオカメラ装置１と、画像情報記録処理装置として機能するパーソナルコンピュータ（ＰＣ）３０１とが接続された状態を、模式的に示している。なお、デジタルビデオカメラ装置１には、パーソナルコンピュータ３０１との間で、ＵＳＢを経由した接続を可能とするための拡張ユニットであるクレードル２０１が装着される。
【００１３】
デジタルビデオカメラ装置１と接続されたパーソナルコンピュータ３０１においては、例えば図５を用いて後段に説明する画面の表示として、パーソナルコンピュータ３０１に組み込まれ、あるいはＵＳＢにより（パーソナルコンピュータに）接続されたデバイスであって、リムーバブル記憶領域を有するデバイスの一覧を表示可能なリムーバブル記憶デバイス表示領域３０１−１と、パーソナルコンピュータ３０１内に用意されているハードディスクドライブの一覧を表示可能なハードディスクドライブ表示領域３０１−２とが、表示される。
【００１４】
なお、パーソナルコンピュータ３０１の画面のリムーバブル記憶デバイス表示領域３０１−１に表示されるデバイスとしては、上述したＵＳＢを経由して接続されるデバイスに加え、パーソナルコンピュータ３０１に予め設けられる図示しないスロットに装填されることで、直接データの受け渡しが可能に接続される例えばメモリスティックやＰＣカード規格の拡張メモリ、例えば周知のＬＡＮを経由してパーソナルコンピュータ３０１からデータの読み出しと書き込みが可能な半導体メモリや光磁気ディスク［ＭＯ］等）あるいはパーソナルコンピュータに予め組み込まれている光ディスクドライブ（ＤＶＤドライブやＣＤドライブの光ディスクがセットされた場合にそのセットされたディスクからのデータの読み出しとデータの書き込みが可能）等を揚げることができる。
【００１５】
また、ＰＣ（パーソナルコンピュータ）３０１は、ＯＳ（オペレーティングシステム）として、例えばマイクロソフト社のＷｉｎｄｏｗｓ（登録商標）  ＸＰを用いるものとする。
【００１６】
ＰＣ３０１において、Ｗｉｎｄｏｗｓ  ＸＰをＯＳとして用いる場合、記録メディアのドライブに対して「ＡＵＴＯＲＵＮ．ＩＮＦ」という自動起動処理を記述したファイルを設定することができる。従って、このファイルに、対象となる記録メディアに対応させたアイコン（ｉｃｏｎ）のファイル名を指定しておくと、その記録メディアまたはドライブが接続されたことが認識された時点で、上述した画面の表示領域３０１−１にアイコンを表示する際に、デジタルビデオカメラ装置１において予め設定したファイル名のアイコンを表示することができる。
【００１７】
すなわち、広く利用されているＳＤメモリ（ＳＤカード）やmini−ＳＤ（登録商標）等については、単体での利用や上述したようなデジタルビデオカメラ装置１にセットされた状態での利用が可能であるため、これまでは、ＰＣ３０１に接続されたリムーバブル記憶デバイスをＰＣ３０１側から閲覧（一覧）する場合には、どのデバイスがデジタルビデオカメラ装置１にセットされたカードメモリ（媒体）であるかを識別（特定）することは、ユーザによる個々のデバイスへのアクセスおよびその媒体内のファイルの確認（ファイルオープン）を必要としている。
【００１８】
従って、ＯＳとしてＷｉｎｄｏｗｓ  ＸＰを用いたＰＣによる画像データの読み取りや編集に供される可能性がある場合に、対象となる記録メディアを取り扱う（データの受け渡しが可能な）ドライブ、すなわち本実施形態のデジタルビデオカメラ装置１において、メモリカードがユーザによりセットされた時点や主電源がオンされた場合等の特定の条件の下で、「ＡＵＴＯＲＵＮ．ＩＮＦ」を、記録メディアに設定する（書き込む）ことで、画像データのＰＣ３０１による読み出しや編集に際して、ファイルを特定するために必要となる時間が低減できる。なお、本実施の形態においては、デジタルビデオカメラ装置１の主電源がオンされる毎に「ＡＵＴＯＲＵＮ．ＩＮＦ」を書き込むものとする。
【００１９】
図２は、図１に示したパーソナルコンピュータとデジタルビデオカメラ装置とをＬＡＮにより接続する際の、デジタルビデオカメラ装置１とパーソナルコンピュータとの接続を容易とする接続媒体であるカメラ固定ユニット（クレードル）の概略を示す。
【００２０】
クレードル２０１は、パーソナルコンピュータ３０１や、図示しないがテレビ受像機やモニタ装置と接続可能なハードディスク付き記録再生装置等、との間で画像データおよび複数の画像データが所定の条件でまとめられたフォルダ（アルバム）を、デジタルビデオカメラ装置１のみで転送可能とするデータ転送装置として機能する。
【００２１】
クレードル２０１には、商用ラインにより供給されるＡＣ電圧を、カメラ装置１の動作に適した、例えばＤＣ５Ｖに変換するＡＣアダプタ２５１からＤＣ出力が供給される電源端子２０２、ＬＡＮへの接続に利用されるＬＡＮ端子２０３、ＵＳＢ端子２０４およびアナログの音声（Audio）信号および映像（Video）信号を、テレビ受像機やモニタ装置に直接入力するために利用されるＡ／Ｖ出力（Out）端子２０５が設けられている。
【００２２】
それぞれの端子２０２〜２０５は、カメラ装置１のアダプタ接続部１５との間の電気的な接続が可能に、クレードル２０１内部の所定の位置に設けられたコンタクト部２１１と接続されている。
【００２３】
クレードル２０１にはまた、ＡＣアダプタ２５１が図示しない商用ラインと接続された状態でクレードル２０１にセットされたデジタルビデオカメラ装置１へのＤＣ５Ｖの供給または遮断を設定可能なパワーボタン（電源スイッチ）２２１が設けられている。なお、パワーボタン２２１は、詳述しないがＬＥＤ素子が内蔵されたスイッチであり、押し込まれる（オンされる）ことにより、所定の色の光が出力されるとともにＡＣアダプタ２５１からのＤＣ５Ｖをカメラ装置１に供給し、もう一度押し込まれることにより、ＤＣ５Ｖを遮断し、光の出力もオフされる。
【００２４】
また、クレードル２０１には、ＬＡＮ端子２０３とＬＡＮケーブルを介して接続されるルータ（ハブ）への接続の切り替えに利用されるＬＡＮボタン（ＬＡＮスイッチ）２３１と、ＵＳＢ端子２０４とＵＳＢケーブルにより接続されるパーソナルコンピュータあるいは外部記憶装置（外付けＨＤＤ装置やＵＳＢメモリ等）への接続の切り替えに利用されるＵＳＢボタン（ＵＳＢスイッチ）２３２が設けられている。なお、ＬＡＮボタン２３１とＵＳＢボタン２３２は、いずれか一方がオン状態（押し込まれた状態）にある場合には、他方がオフ状態となる選択式スイッチである。また、詳述しないが、それぞれにはＬＥＤが内蔵されており、現在選択されている接続系（押し込まれている側）に対応するＬＥＤが点灯される。
【００２５】
図３（ａ）および図３（ｂ）は、図１を用いて概略を説明した本発明が適用可能な動画が記録可能なデジタルビデオカメラ装置の概略を示す。
【００２６】
図３（ａ）は、デジタルビデオカメラ装置（撮影装置）１を撮影レンズ側から見た状態を示す。
【００２７】
デジタルビデオカメラ装置１は、撮像レンズ１１、フラッシュ１２、（静止画撮影用）シャッターボタン１３およびリモコン受信部１４等を有する。デジタルビデオカメラ装置１はまた、パーソナルコンピュータや、外部電源装置（充電器）等との接続に利用されるアダプタ接続部（接続端子）１５を有する。
【００２８】
図３（ｂ）は、デジタルビデオカメラ装置１を、撮像レンズ１１と逆の側から見た状態を示す。
【００２９】
デジタルビデオカメラ装置１はまた、主電源スイッチを兼ねるフレーム２１に一体に組み込まれた液晶モニタ（ＬＣＤパネル）２２およびスピーカ２３を有する。デジタルビデオカメラ装置１はさらに、フレーム２１が閉じられる（デジタルビデオカメラ装置本体の所定の位置に収容される）位置でオフされる所定の位置に、主電源スイッチ２４を有する。
【００３０】
また、デジタルビデオカメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７等が設けられている。なお、ＯＫ（決定）ボタン２７は、例えばジョグダイアル２６の回転中心に同軸（同心）状に位置される。
【００３１】
図４は、図３（ａ）および図３（ｂ）に概要を示したデジタルビデオカメラ装置の制御ブロックの一例を示している。
【００３２】
撮像レンズ１１から取り込まれた被写体像は、例えばＣＣＤセンサである撮像素子３１の結像面に結像され、アナログ信号（撮像画像データ）に変換される。
【００３３】
ＣＣＤセンサ３１からのアナログ信号（撮像画像データ）は、ＣＰＵ（主制御回路）１１１により制御されるアナログ−デジタル（Ａ／Ｄ）変換部１０１によりデジタル信号に変換され、カメラ信号処理回路１０２に入力される。
【００３４】
カメラ信号処理回路１０２では、Ａ／Ｄ変換部１０１によりデジタル信号に変換された撮像画像データに、例えばガンマ補正、色信号分離、あるいはホワイトバランス調整等の処理が施される。
【００３５】
カメラ信号処理回路１０２から出力された撮像画像データ、すなわち撮像レンズ１１により取り込まれた記録対象である画像は、ビデオデコーダ（Video Decoder）１０７を介して液晶パネル駆動回路（LCD Driver）１０８に入力され、液晶パネル駆動回路１０８により、フレーム２１にマウントされているＬＣＤパネル（以下単にＬＣＤと呼称する）２２（図３（ｂ）、図１参照）に、表示される。
【００３６】
カメラ信号処理回路１０２から出力された撮像画像データは、記録時においては、圧縮／伸長部１０３で圧縮された後、メモリ回路１０４を通じて、主記録媒体、例えばハードディスク装置（以下ＨＤＤと略称する）１０５または付随する取り出し可能な記録媒体、例えば不揮発性メモリであるメモリカード１０６に記録される。なお、圧縮／伸長部１０３においては、静止画は、例えばＪＰＥＧ規格等の、動画（非静止画）は、ＭＰＥＧ規格等の、周知の圧縮方式により圧縮される。また、メモリカード１０６は、例えばＳＤカード（登録商標）や、mini−ＳＤ（登録商標）と呼ばれる半導体メモリが利用可能である。
【００３７】
ＨＤＤ１０５またはメモリカード１０６に既に記録されている画像を再生する際には、ＨＤＤ１０５あるいはメモリカード１０６から読み出された画像が圧縮／伸長部１０３において伸長され、メモリ回路１０４を通じてビデオデコーダ１０７に供給される。以下、ビデオデコーダ１０７に供給された画像データは、液晶パネル駆動回路１０８を介して、ＬＣＤ２２に表示される。
【００３８】
なお、ＨＤＤ１０５およびメモリカード１０６との間のデータ（圧縮画像）の受け渡しには、図示しないが、記録メディアインタフェースが用いられる。また、ＨＤＤ１０５に換えて、例えば光ディスクが用いられてもよいことはいうまでもない。もちろん、容量の大きなメモリカード（１０６７）を、主記録媒体とすることも可能である。なお、メモリカード１０６は、例えばＰＣ３０１に一体に組み込まれているカードスロット、もしくはＰＣ３０１に接続された複数の記録メディアとの間でデータの受け渡しが可能なリーダ／ライタ等によってもＰＣ３０１との接続が可能で、画像データの読み出しおよび書き込みが可能である。
【００３９】
また、ＨＤＤ１０５およびメモリカード１０６には、デジタルビデオカメラ装置１の主電源スイッチ２４がオンされる毎に、「ＡＵＴＯＲＵＮ．ＩＮＦ」が設定される（書き込まれる）。なお、メモリカード１０６は、画像の記録に際しては詳述しないメモリカードスロットに装填されることは言うまもないが、デジタルビデオカメラ装置１を介して画像データが記録されている間に残り記録容量が不足した場合等においては、必要に応じて、メモリカードスロットから取り外され、例えば未使用のメモリカードと交換されることも予測される。このため、「ＡＵＴＯＲＵＮ．ＩＮＦ」は、メモリカードがデジタルビデオカメラ装置１に装填される毎に、「ＡＵＴＯＲＵＮ．ＩＮＦ」ファイルの有無をチェックした結果に従って書き込まれてもよいことはいうまでもない。
【００４０】
ＨＤＤ１０５またはメモリカード１０６に記録されている静止画、もしくは動画の画像データは、アダプタ接続部１５と接続されたクレードル２０１（図２参照）を介して（図１により概略を説明したように、ＰＣ３０１と接続される。なお、ＰＣ３０１との接続には、ＬＡＮ以外にも、例えばカメラ装置１から見た状態で１対１となる接続においては、ＵＳＢを用いることも可能である。同様に、インタフェースとしては、周知のさまざまな規格、例えばＩＥＥＥ１３９４や、パラレルバスも利用可能である。
【００４１】
なお、任意のインタフェースとメモリ回路１０４の間には、インタフェースコントローラ１０９が介在される。また、ルータ３０１を用いたデータの転送には、ＬＡＮコントローラ１１０が用いられる。
【００４２】
図５は、図１および図２により概略を説明した本実施の形態である「ＡＵＴＯＲＵＮ．ＩＮＦ」を設定する方法を説明する概略図である。
【００４３】
図５に示されるように、クレードル２０１を介在させて、ＰＣ３０１（装置Ｂ）とデジタルビデオカメラ装置１（装置Ａ）とが相互に接続されると、デジタルビデオカメラ装置１（装置Ａ）において、「記録メディア（メモリカード１０６またはＨＤＤ１０５もしくはその両方）に「ＡＵＴＯＲＵＮ．ＩＮＦ」ファイルが存在するか」が、チェックされる（Ｓ１１）。
【００４４】
「ＡＵＴＯＲＵＮ．ＩＮＦ」ファイルがみつからない場合（Ｓ１１−ＮＯ）、「ＡＵＴＯＲＵＮ．ＩＮＦ」ファイルが作成される（Ｓ１２）。
【００４５】
ステップＳ１１において、「ＡＵＴＯＲＵＮ．ＩＮＦ」ファイルがみつかった場合（Ｓ１１−ＹＥＳ）、「記録メディアに「アイコン（ｉｃｏｎ）」のデータファイルがあるか否か」が、チェックされる（Ｓ１３）。
【００４６】
「アイコン（ｉｃｏｎ）」のデータファイルがみつからない場合は（Ｓ１３−ＮＯ）、「アイコン（ｉｃｏｎ）」ファイルが作成される（Ｓ１４）。
【００４７】
これに対し、ＰＣ３０１（装置Ｂ）においては、装置Ａ（カメラ装置１）に収容されている「記録メディア（メモリカード１０６またはＨＤＤ１０５もしくはその両方）に「ＡＵＴＯＲＵＮ．ＩＮＦ」ファイルが存在するか」が、チェックされる（Ｓ２２）。
【００４８】
ステップＳ２２において、装置Ａ（カメラ装置１）に「ＡＵＴＯＲＵＮ．ＩＮＦ」ファイルが用意されていないことがチェックされた場合（Ｓ２２−ＮＯ）、ＰＣ３０１（装置Ｂ）の画面のリムーバブル記憶デバイス表示領域３０１−１に表示されるデバイスのアイコンに、図７に示すように、ＰＣ３０１に予め用意されている（デフォルトの）アイコン（表示３０１−１１，−１２参照）により、デバイスの一覧が表示される。
【００４９】
ステップＳ２２において、「ＡＵＴＯＲＵＮ．ＩＮＦ」ファイルが装置Ａ（カメラ装置１）に用意されている場合（Ｓ２２−ＹＥＳ）、「（装置Ａの）記録メディアに「アイコン（ｉｃｏｎ）」のデータファイルがあるか否か」が、チェックされる（Ｓ２３）。
【００５０】
ステップＳ２３において、「アイコン（ｉｃｏｎ）」ファイルが装置Ａに用意されていることが検知された場合（Ｓ２３−ＹＥＳ）、装置Ａの記録メディアから「アイコン（ｉｃｏｎ）」ファイルのデータが取り込まれる（装置Ａが保持する「アイコン（ｉｃｏｎ）」ファイルを装置Ｂ（ＰＣ３０１）により読み取る（Ｓ２４）。
【００５１】
ステップＳ２４において、装置Ａ（カメラ装置１）に用意されている「アイコン（ｉｃｏｎ）」ファイルが読み取られた場合、ＰＣ３０１（装置Ｂ）の画面のリムーバブル記憶デバイス表示領域３０１−１に表示されるデバイスのアイコンに、図６に示すように、装置Ａすなわちデジタルビデオカメラ装置１により予め用意されている（デジタルビデオカメラ装置１に固有の（オリジナルの）、またはデジタルビデオカメラ装置１において予め設定されているアイコン（表示３０１−１１，−１２参照）により、デバイスの一覧が表示される。なお、図６から明らかなように、表示領域３０１−１に表示された表示３０１−１１は、一見してＨＤＤであることが容易に理解でき、また表示３０１−１２は、同様にＳＤカードであることが容易に理解できる。従って、複数の記録媒体（メディア個体）が存在する場合においても、それぞれを容易に識別できる。
【００５２】
このように、デジタルビデオカメラ装置１と接続されたパーソナルコンピュータ３０１において、パーソナルコンピュータ３０１に組み込まれ、あるいはＬＡＮにより（パーソナルコンピュータに）接続されたデバイスであって、リムーバブル記憶領域を有するデバイスの一覧を表示可能なリムーバブル記憶デバイス表示領域３０１−１に、予めデジタルビデオカメラ装置１側で用意された、あるいはデジタルビデオカメラ装置１に固有のアイコンを表示させることで、デジタルビデオカメラ装置１がＰＣ３０１に接続された際に、デジタルビデオカメラ装置１に保持されている記録メディアを容易に識別（特定）可能となる。これにより、ユーザによる個々のデバイスへのアクセス、およびそのデバイス内の記録媒体内のファイルの確認（ファイルオープン）が不要となる。従って、画像ファイルの整理や（任意の画像ファイルの）編集の効率が高められ、撮影したデータを誤って消去する虞も低減される。
【００５３】
すなわち、デジタルビデオカメラ装置から見て外部の画像記録処理装置であるパーソナルコンピュータ（ＰＣ）において、デジタルビデオカメラ装置を記録媒体（リムーバブル記憶メディア）一覧表示として表示する際に、パーソナルコンピュータに表示されるアイコンを、デジタルビデオカメラ装置がＰＣに接続されたメディア個体であることを容易に識別可能なアイコンにより表示することで、容易にメディア個体を区別できる。
【００５４】
また、本実施の形態によれば、ＰＣ（パーソナルコンピュータ）に接続されたメディア個体が２以上存在する場合においても、それぞれを容易に識別できる。
【００５５】
さらに、識別すべきメディア個体（デジタルビデオカメラ装置）側がアイコンデータの供給元であることにより、機種別や記録メディア別などでユーザーが認識し易いアイコンを提供することができる。
【００５６】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５７】
【図１】この発明の実施の形態が適用可能に、ネットワークに接続された外部の画像記録処理装置とカメラ装置との接続の一例を示す概略図。
【図２】図１に示したカメラ装置と外部の画像記録処理装置との接続に利用されるクレードルの一例を示す概略図。
【図３】この発明の実施の形態が適用可能な動画および静止画ならびに音声等が記録可能なデジタルビデオカメラ装置の一例を示す概略図。
【図４】図３に示したカメラ装置の制御ブロックの一例を説明する概略図。
【図５】図１および図２により概略を説明した本実施の形態である「ＡＵＴＯＲＵＮ．ＩＮＦ」を設定する方法を説明する概略図。
【図６】「ＡＵＴＯＲＵＮ．ＩＮＦ」によりカメラ装置において既に設定されたアイコンを用いて外部の画像記録処理装置に表示されるリムーバブル記憶デバイス一覧の表示例。
【図７】通常の一覧の表示方法により外部の画像記録処理装置に表示されるリムーバブル記憶デバイス一覧の表示例。
【符号の説明】
【００５８】
１…デジタルビデオカメラ装置（装置Ａ）、１１…レンズ、２２…表示装置、２４…主電源スイッチ、３１…ＣＣＤセンサ、１０２…信号処理回路（画像信号処理部）、１０３…圧縮／伸長部（画像信号処理部）、１０４…メモリ回路（画像信号処理部）、１０５…ＨＤＤ（ハードディスク装置、記録媒体）、１０６…メモリカード（記録媒体）、１０９…ＵＳＢコントローラ、１１０…ＬＡＮ（ネットワーク）コントローラ、１１１…ＣＰＵ（画像信号処理部、情報制御部）、２０１…クレードル（拡張接続装置）、２０３…ＬＡＮ（Local Area Network）端子、２０４…ＵＳＢ（Universal Serial Bus）端子、２０５…Ａ／Ｖ出力端子、３０１…ＰＣ（外部の画像記録処理装置）。
【図１】
2007082141.tif 000003
【図２】
2007082141.tif 000004
【図３】
2007082141.tif 000005
【図４】
2007082141.tif 000006
【図５】
2007082141.tif 000007
【図６】
2007082141.tif 000008
【図７】
2007082141.tif 000009